(57)【要約】【課題】換気装置を大型化することなく、結露や凍結が生じても熱交換気運転を継続できるようにする。【解決手段】換気装置（10）は、室外空気を室内へ給気する給気流路（16）と、室内空気を室外へ排気する排気流路（17）と、第１流路（46）および第２流路（47）を有する全熱交換素子（40）と、第１状態と第２状態とを切り替える切替機構（50,60）とを備える。第１状態では、全熱交換素子（40）の第１流路（46）が給気流路（16）に、第２流路（47）が排気流路（17）にそれぞれ連通する。第２状態では、全熱交換素子（40）の第２流路（47）が給気流路（16）に、第１流路（46）が排気流路（17）にそれぞれ連通する。【選択図】図２
2020183842.tif 000002
【特許請求の範囲】
【請求項１】
室外空気を室内へ給気する給気流路（16）と、
室内空気を室外へ排気する排気流路（17）と、
第１流路（46）および第２流路（47）を有する全熱交換素子（40）と、
上記全熱交換素子（40）の上記第１流路（46）が上記給気流路（16）に、上記第２流路（47）が上記排気流路（17）にそれぞれ連通する第１状態と、上記全熱交換素子（40）の上記第２流路（47）が上記給気流路（16）に、上記第１流路（46）が上記排気流路（17）にそれぞれ連通する第２状態とを切り替える切替機構（50,60）とを備える
ことを特徴とする換気装置。
【請求項２】
請求項１において、
上記切替機構（50,60）は、上記第１状態における上記第１流路（46）の入口部が、上記第２状態における上記第１流路（46）の出口部になるように上記第１状態と上記第２状態とを切り替える
ことを特徴とする換気装置。
【請求項３】
請求項１または２において、
上記切替機構（50,60）は、上記第１状態における上記第２流路（47）の入口部が、上記第２状態における上記第２流路（47）の出口部になるように上記第１状態と上記第２状態とを切り替える
ことを特徴とする換気装置。
【請求項４】
請求項１〜３のいずれか１項において、
上記切替機構（50,60）は、上記全熱交換素子（40）を回転させることで上記第１状態と上記第２状態とを切り替える回転機構（50）である
ことを特徴とする換気装置。
【請求項５】
請求項１〜３のいずれか１項において、
上記全熱交換素子（40）の上記第１流路（46）に連通し、上記第１状態において上記給気流路（16）を構成し、上記第２状態において上記排気流路（17）を構成する第１給排気流路（18）と、
上記全熱交換素子（40）の上記第２流路（47）に連通し、上記第２状態において上記排気流路（17）を構成し、上記第２状態において上記給気流路（16）を構成する第２給排気流路（19）とを備え、
上記切替機構（50,60）は、上記第１給排気流路（18）および上記第２給排気流路（19）の入口および出口に設けられた複数のダンパ（61〜68）を有し、該ダンパ（61〜68）を開閉することで上記第１状態と上記第２状態とを切り替えるダンパ機構（60）である
ことを特徴とする換気装置。
【請求項６】
請求項１〜５のいずれか１項において、
上記全熱交換素子（40）は、上記第１流路（46）と上記第２流路（47）とを仕切る仕切板（41）を備え、
上記仕切板（41）は、第１主面（42a）および第２主面（42b）を有する基材（42）と、該基材（42）における上記第１主面（42a）側に設けられた透湿膜（43）とを有する
ことを特徴とする換気装置。
【請求項７】
請求項６において、
上記切替機構（50,60）は、上記基材（42）の上記第１主面（42a）が、上記給気流路（16）と上記排気流路（17）のうち流路入口の水蒸気圧が低い方に配置されるように上記第１状態と上記第２状態とを切り替える
ことを特徴とする換気装置。
【発明の詳細な説明】
【技術分野】
【０００１】
本開示は、換気装置に関するものである。
【背景技術】
【０００２】
従来より、排気流と給気流との間で熱交換する複数の熱交換器を備えた換気装置が知られている（例えば、特許文献１）。同文献の換気装置は、複数の熱交換器において氷結時の熱交換気運転とデフロスト運転を順次切り換えることにより、寒冷地の冬季に運転されても、本体の熱交換気運転を継続して実施することができる。
【先行技術文献】
【特許文献】
【０００３】
【特許文献１】特開２０１０−９６３８４号公報
【発明の概要】
【発明が解決しようとする課題】
【０００４】
しかしながら、特許文献１の換気装置は、結露や凍結が生じても熱交換気運転を継続できるものの、複数の熱交換器を備えるために装置全体のサイズが大きくなってしまう。
【０００５】
本開示の目的は、換気装置を大型化することなく、結露や凍結が生じても熱交換気運転を継続できるようにする。
【課題を解決するための手段】
【０００６】
本開示の第１の態様は、換気装置（10）を対象とする。換気装置（10）は、室外空気を室内へ給気する給気流路（16）と、室内空気を室外へ排気する排気流路（17）と、第１流路（46）および第２流路（47）を有する全熱交換素子（40）と、上記全熱交換素子（40）の上記第１流路（46）が上記給気流路（16）に、上記第２流路（47）が上記排気流路（17）にそれぞれ連通する第１状態と、上記全熱交換素子（40）の上記第２流路（47）が上記給気流路（16）に、上記第１流路（46）が上記排気流路（17）にそれぞれ連通する第２状態とを切り替える切替機構（50,60）とを備える。
【０００７】
第１の態様では、第１流路（46）または第２流路（47）で結露や凍結が生じた場合に、切替機構（50,60）によって換気装置（10）の第１状態と第２状態とを切り替えることで、結露水を蒸発させまたは氷を解凍させることができる。この機能を実現する上で、全熱交換素子（40）を複数設ける必要はない。したがって、換気装置（10）を大型化することなく、結露や凍結が生じても熱交換気運転を継続できる。
【０００８】
本開示の第２の態様は、上記第１の態様において、上記切替機構（50,60）は、上記第１状態における上記第１流路（46）の入口部が、上記第２状態における上記第１流路（46）の出口部になるように上記第１状態と上記第２状態とを切り替えることを特徴とする。
【０００９】
第２の態様では、第１状態で第１流路（46）の入口部で結露水が生じた場合に、当該入口部を第２状態における第１流路（46）の出口部にすることで、結露水を効率的に蒸発させることができる。
【００１０】
本開示の第３の態様は、上記第１または第２の態様において、上記切替機構（50,60）は、上記第１状態における上記第２流路（47）の入口部が、上記第２状態における上記第２流路（47）の出口部になるように上記第１状態と上記第２状態とを切り替えることを特徴とする。
【００１１】
第３の態様では、第１状態で第２流路（47）の入口部で結露水または氷が生じた場合に、当該入口部を第２状態における第２流路（47）の出口部にすることで、結露水または氷を効率的に蒸発または解凍することができる。
【００１２】
本開示の第４の態様は、上記第１〜第３の態様のいずれか１つにおいて、上記切替機構（50,60）は、上記全熱交換素子（40）を回転させることで上記第１状態と上記第２状態とを切り替える回転機構（50）であることを特徴とする。
【００１３】
第４の態様では、第１状態と第２状態との両方において、給気流路（16）および排気流路（17）をそのまま利用できる。したがって、換気装置（10）を小型化できる。
【００１４】
本開示の第５の態様は、上記第１〜第３の態様のいずれか１つにおいて、上記全熱交換素子（40）の上記第１流路（46）に連通し、上記第１状態において上記給気流路（16）を構成し、上記第２状態において上記排気流路（17）を構成する第１給排気流路（18）と、上記全熱交換素子（40）の上記第２流路（47）に連通し、上記第２状態において上記排気流路（17）を構成し、上記第２状態において上記給気流路（16）を構成する第２給排気流路（19）とを備え、上記切替機構（50,60）は、上記第１給排気流路（18）および上記第２給排気流路（19）の入口および出口に設けられた複数のダンパ（61〜68）を有し、該ダンパ（61〜68）を開閉することで上記第１状態と上記第２状態とを切り替えるダンパ機構（60）であることを特徴とする。
【００１５】
第５の態様では、第１状態において、第１給排気流路（18）と全熱交換素子（40）の第１流路（46）とを介して室内空気が室外へ排出されると共に、第２給排気流路（19）と全熱交換素子（40）の第２流路（47）とを介して室外空気が室内へ供給される。一方、第２状態において、第２給排気流路（19）と全熱交換素子（40）の第２流路（47）とを介して室内空気が室外へ排出されると共に、第１給排気流路（18）と全熱交換素子（40）の第１流路（46）とを介して室外空気が室内へ供給される。第５の態様では、第１状態と第２状態とを切り替えるために、シール機能に優れたダンパ（61〜68）を使用する。このため、第１給排気流路（18）と第２給排気流路（19）との間における空気漏れを抑止できる。
【００１６】
本開示の第６の態様は、上記第１〜第５の態様のいずれか１つにおいて、上記全熱交換素子（40）は、上記第１流路（46）と上記第２流路（47）とを仕切る仕切板（41）を備え、上記仕切板（41）は、第１主面（42a）および第２主面（42b）を有する基材（42）と、該基材（42）における上記第１主面（42a）側に設けられた透湿膜（43）とを有することを特徴とする。
【００１７】
ここで、一般的な仕切板の材料として、塩化リチウムや塩化カルシウムなどの吸湿剤を含浸させた紙が使用されるが、その場合、過剰吸湿により滴下を生じてしまうことがある。第６の態様では、仕切板（41）に透湿膜（43）が設けられるので、上記のような不具合を抑止できる。
【００１８】
本開示の第７の態様は、上記第６の態様において、上記切替機構（50,60）は、上記基材（42）の上記第１主面（42a）が、上記給気流路（16）と上記排気流路（17）のうち流路入口の水蒸気圧が低い方に配置されるように上記第１状態と上記第２状態とを切り替えることを特徴とする。
【００１９】
第７の態様では、透湿膜（43）が設けられた基材（42）の第１主面（42a）が、給気流路（16）と排気流路（17）のうち流路入口の水蒸気圧が高い方に配置される場合よりも、仕切板（41）を通過する水分の量（以下、透湿移動量ともいう。）を多くすることができる。
【図面の簡単な説明】
【００２０】
【図１】図１は、実施形態１の換気装置の概略構成図である。
【図２】図２は、室外空気が高温多湿である場合の実施形態１の換気装置の切替動作を説明するための図である。
【図３】図３は、室外空気が低温低湿である場合の実施形態１の換気装置の切替動作を説明するための図である。
【図４】図４は、全熱交換素子の概略斜視図である。
【図５】図５は、全熱交換素子の要部の断面図である。
【図６】図６は、実施形態２の換気装置の概略構成図である。
【図７】図７は、室外空気が高温多湿である場合の実施形態２の換気装置の切替動作を説明するための図である。
【図８】図８は、室外空気が低温低湿である場合の実施形態２の換気装置の切替動作を説明するための図である。
【図９】図９は、その他の実施形態の全熱交換素子の要部の断面図である。
【発明を実施するための形態】
【００２１】
《実施形態１》
実施形態１について説明する。本実施形態の換気装置（10）は、室内空気と室外空気との間で顕熱および水分（潜熱）の交換をさせながら換気を行う熱交換形換気装置である。
【００２２】
図１に示すように、換気装置（10）は、全熱交換素子（40）を収容するケーシング（11）を備える。ケーシング（11）には、外気吸込口（12）と、給気口（13）と、内気吸込口（14）と、排気口（15）とが設けられる。ケーシング（11）の内部空間には、給気流路（16）と、排気流路（17）とが形成される。給気流路（16）の一端には、外気吸込口（12）が接続する。給気流路（16）の他端には、給気口（13）が接続する。排気流路（17）の一端には、内気吸込口（14）が接続する。排気流路（17）の他端には、排気口（15）が接続する。
【００２３】
全熱交換素子（40）は、給気流路（16）および排気流路（17）を横断するように配置される。全熱交換素子（40）は、後述する第１流路（46）が給気流路（16）および排気流路（17）の一方と連数し、かつ後述する第２流路（47）が給気流路（16）および排気流路（17）の他方と連通するように、ケーシング（11）内に設置される。全熱交換素子（40）の詳細は後述する。
【００２４】
換気装置（10）は、給気ファン（26）と、排気ファン（27）とをさらに備える。給気ファン（26）は、給気流路（16）における全熱交換素子（40）の下流側（換言すると、給気口（13）側）に配置される。排気ファン（27）は、排気流路（17）における全熱交換素子（40）の下流側（換言すると、排気口（15）側）に配置される。
【００２５】
換気装置（10）では、室外空気が給気流路（16）を室内へ向かって流れ、室内空気が排気流路（17）を室外へ向かって流れる。給気流路（16）を流れる室外空気と、排気流路（17）を流れる室内空気とは、全熱交換素子（40）において顕熱と水分（潜熱）とを交換する。
【００２６】
換気装置（10）は、全熱交換素子（40）を回転させる回転機構（50）をさらに備える。回転機構（50）は、ケーシング（11）に固定されかつ全熱交換素子（40）にトルクを与える電動機と、全熱交換素子（40）の回転角度範囲を規制するストッパ（図示せず）とによって構成されているが、これに限定されない。回転機構（50）は、図１の紙面直交方向に延びる回転軸回りにおいて全熱交換素子（40）を回転させることで、図３または図４に示すように、換気装置（10）の第１状態と第２状態とを切り替える。回転機構（50）は、切換機構を構成している。
【００２７】
図４および図５に示すように、全熱交換素子（40）は、第１流路（46）と第２流路（47）とが複数ずつ形成された直交流型の熱交換器である。全熱交換素子（40）は、仕切板（41）と間隔保持部材（44）とを交互に複数ずつ積層することによって、全体として四角柱状に形成される。全熱交換素子（40）において、隣り合う仕切板（41）同士の間隔は、間隔保持部材（44）によって実質的に一定に保持される。
【００２８】
仕切板（41）は、平面視で概ね正方形状に形成された平坦なシート状の部材である。仕切板（41）は、多孔質基材（42）と、透湿膜（43）とを有する。仕切板（41）の厚さは、３０μｍ以下であるが、これに限られない。
【００２９】
多孔質基材（42）は、第１主面（42a）および第２主面（42b）を有する板状の部材である。多孔質基材（42）の材質は、例えば、樹脂、金属、ガラス、パルプなどの不織布、または樹脂や金属などのフィルムである。多孔質基材（42）の厚さは、数十μｍであるが、これに限られない。多孔質基材（42）は、水分を透過可能である。多孔質基材（42）は、基材を構成している。
【００３０】
透湿膜（43）は、多孔質基材（42）の第１主面（42a）上に設けられたシート状の部材である。透湿膜（43）は、多孔質基材（42）の第２主面（42b）には設けられていない。透湿膜（43）の材質は、例えば、親水基と疎水基を含む高分子材料（例えば、ポリウレタン）である。透湿膜（43）の厚さは、数μｍ以下であるが、これに限られない。透湿膜（43）は、水分を透過可能である。
【００３１】
間隔保持部材（44）は、平面視で概ね正方形状に形成された波板状の部材である。間隔保持部材（44）は、その両側に配置された仕切板（41）の間隔を保持する。なお、図５では、間隔保持部材（44）の図示を省略している。
【００３２】
全熱交換素子（40）では、仕切板（41）および間隔保持部材（44）の積層方向（換言すると、全熱交換素子（40）の中心軸方向）に、第１流路（46）と第２流路（47）とが交互に形成される。隣り合う第１流路（46）と第２流路（47）とは、仕切板（41）によって互いに仕切られる。
【００３３】
全熱交換素子（40）において、仕切板（41）を挟んで隣り合う間隔保持部材（44）は、それぞれの波形の稜線方向が互いに実質的に直交する姿勢で配置される。その結果、全熱交換素子（40）では、全熱交換素子（40）の対向する一対の側面に第１流路（46）が開口し、残りの対向する一対の側面に第２流路（47）が開口する。
【００３４】
図５に示すように、各仕切板（41）は、透湿膜（43）が設けられた第１主面（42a）が第１流路（46）の方に配置される。換言すると、各仕切板（41）は、透湿膜（43）が設けられていない第２主面（42b）が第２流路（47）の方に配置される。第１流路（46）を挟んで隣り合う仕切板（41）は、互いの第１主面（42a）同士が対向する。第２流路（47）を挟んで隣り合う仕切板（41）は、互いの第２主面（42b）同士が対向する。
【００３５】
−回転機構の切替動作−
換気装置（10）における、回転機構（50）による第１状態と第２状態との切替動作について説明する。
【００３６】
まず、図２を参照して、例えば夏季などの室外空気が高温多湿である場合の切替動作について説明する。図２では、上に第１状態の換気装置（10）を、下に第２状態の換気装置（10）を、それぞれ示している。
【００３７】
第１状態では、全熱交換素子（40）の第１流路（46）が給気流路（16）に連通し、かつ全熱交換素子（40）の第２流路（47）が排気流路（17）に連通する。第２状態では、全熱交換素子（40）の第２流路（47）が給気流路（16）に連通し、かつ全熱交換素子（40）の第１流路（46）が排気流路（17）に連通する。
【００３８】
室外空気が高温多湿である場合に換気装置（10）が第１状態で運転されていると、主に第１流路（46）の入口部の領域（図２にハッチングで示す領域）で結露水が生じ得る。この領域では、湿度および温度が相対的に高い室外空気が、湿度および温度が相対的に低い室内空気と熱交換して冷却されるためである。
【００３９】
回転機構（50）は、図２における反時計回り方向に全熱交換素子（40）を９０°回転させることで、換気装置（10）を第１状態から第２状態に切り替える。これにより、第１状態における第１流路（46）の入口部は、第２状態における第１流路（46）の出口部になる。第２状態における第１流路（46）の出口部を流れる室内空気は、高温多湿の室外空気と熱交換して温度が高くなっている。このため、第２状態における第１流路（46）の出口部の領域では、第１状態での運転中に生じた結露水が効率的に蒸発し得る。なお、回転機構（50）は、図２における反時計回り方向に全熱交換素子（40）を２７０°回転させることで、または図２における時計回り方向に全熱交換素子（40）を９０°もしくは２７０°回転させることで、換気装置（10）を第１状態から第２状態に切り替えてもよい。
【００４０】
その後、回転機構（50）は、図２における反時計回り方向に全熱交換素子（40）を９０°回転させることで、換気装置（10）を第２状態から第１状態に切り替える。これにより、第２状態における第２流路（47）の入口部は、第１状態における第２流路（47）の出口部になる。このため、第１流路（46）に関して上述したのと同様に、第２状態での運転中に第２流路（47）の入口部の領域で生じた結露水が、第１状態における第２流路（47）の出口部の領域で効率的に蒸発し得る。なお、回転機構（50）は、図２における反時計回り方向に全熱交換素子（40）を２７０°回転させることで、または図２における時計回り方向に全熱交換素子（40）を９０°もしくは２７０°回転させることで、換気装置（10）を第２状態から第１状態に切り替えてもよい。
【００４１】
次に、図３を参照して、例えば冬季などの室外空気が低温低湿である場合の切替動作について説明する。図３では、上に第１状態の換気装置（10）を、下に第２状態の換気装置（10）を、それぞれ示している。
【００４２】
室外空気が低温低湿である場合に換気装置（10）が第１状態で運転されていると、主に第２流路（47）の入口部の領域（図３にハッチングで示す領域）で結露水または氷が生じ得る。この領域では、湿度および温度が相対的に高い室内空気が、湿度および温度が相対的に低い室外空気と熱交換して冷却されるためである。
【００４３】
回転機構（50）は、図３における時計回り方向に全熱交換素子（40）を９０°回転させることで、換気装置（10）を第１状態から第２状態に切り替える。これにより、第１状態における第２流路（47）の入口部は、第２状態における第２流路（47）の出口部になる。第２状態における第２流路（47）の出口部を流れる室外空気は、温度が高い室内空気と熱交換して温度が高くなっている。このため、第２状態における第２流路（47）の出口部の領域では、第１状態での運転中に生じた結露水または氷が効率的に蒸発または解凍し得る。なお、回転機構（50）は、図３における時計回り方向に全熱交換素子（40）を２７０°回転させることで、または図３における反時計回り方向に全熱交換素子（40）を９０°もしくは２７０°回転させることで、換気装置（10）を第１状態から第２状態に切り替えてもよい。
【００４４】
その後、回転機構（50）は、図３における時計回り方向に全熱交換素子（40）を９０°回転させることで、換気装置（10）を第２状態から第１状態に切り替える。これにより、第２状態における第１流路（46）の入口部は、第１状態における第１流路（46）の出口部になる。このため、第２流路（47）に関して上述したのと同様に、第２状態での運転中に第１流路（46）の入口部の領域で生じた結露水または氷が、第１状態における第１流路（46）の出口部の領域で効率的に蒸発または解凍し得る。なお、回転機構（50）は、図３における時計回り方向に全熱交換素子（40）を２７０°回転させることで、または図３における反時計回り方向に全熱交換素子（40）を９０°もしくは２７０°回転させることで、換気装置（10）を第２状態から第１状態に切り替えてもよい。
【００４５】
室外空気の状態に関わらず、回転機構（50）による第１状態と第２状態との切替動作は、任意のタイミングで実行されてもよい。例えば、回転機構（50）は、所定の時間間隔をおいて第１状態と第２状態とを切り替えてもよいし、結露水の発生を検知する検知手段（図示せず）の信号に応じて、所定量の結露水が発生したときに第１状態と第２状態とを切り替えてもよい。
【００４６】
−実施形態１の効果−
本実施形態の換気装置（10）は、室外空気を室内へ給気する給気流路（16）と、室内空気を室外へ排気する排気流路（17）と、第１流路（46）および第２流路（47）を有する全熱交換素子（40）と、上記全熱交換素子（40）の上記第１流路（46）が上記給気流路（16）に、上記第２流路（47）が上記排気流路（17）にそれぞれ連通する第１状態と、上記全熱交換素子（40）の上記第２流路（47）が上記給気流路（16）に、上記第１流路（46）が上記排気流路（17）にそれぞれ連通する第２状態とを切り替える切替機構（50,60）とを備える。したがって、第１流路（46）または第２流路（47）で結露や凍結が生じた場合に、切替機構（50,60）によって換気装置（10）の第１状態と第２状態とを切り替えることで、結露水を蒸発させまたは氷を解凍させることができる。この機能を実現する上で、全熱交換素子（40）を複数設ける必要はない。このため、換気装置（10）を大型化することなく、結露や凍結が生じても熱交換気運転を継続できる。
【００４７】
また、本実施形態の換気装置（10）は、上記切替機構（50,60）が、上記第１状態における上記第１流路（46）の入口部が、上記第２状態における上記第１流路（46）の出口部になるように上記第１状態と上記第２状態とを切り替える。ここで、室外空気が高温多湿である場合（典型的には、日本の夏季）、第２状態における第１流路（46）の出口部を流れる室内空気は、温度が高い室外空気と熱交換して温度が高くなっている。このため、第２状態における第１流路（46）の出口部の領域では、第１状態での運転中に生じた結露水が効率的に蒸発し得る。また、結露水による湿気を室外へ排出し、室内側の湿度の上昇を抑止することができる。
【００４８】
また、本実施形態の換気装置（10）は、上記切替機構（50,60）が、上記第１状態における上記第２流路（47）の入口部が、上記第２状態における上記第２流路（47）の出口部になるように上記第１状態と上記第２状態とを切り替える。ここで、室外空気が低温低湿である場合（典型的には、日本の冬季）、第２状態における第２流路（47）の出口部を流れる室外空気は、温度が高い室内空気と熱交換して温度が高くなっている。このため、第２状態における第２流路（47）の出口部の領域では、第１状態での運転中に生じた結露水または氷が効率的に蒸発または解凍し得る。また、結露水による湿気を室内へ供給し、室内側空気を加湿することができる。
【００４９】
また、本実施形態の換気装置（10）は、上記切替機構（50,60）が、上記全熱交換素子（40）を回転させることで上記第１状態と上記第２状態とを切り替える回転機構（50）である。したがって、第１状態と第２状態との両方において、給気流路（16）および排気流路（17）をそのまま利用できる。このため、換気装置（10）を小型化できる。
【００５０】
また、本実施形態の換気装置（10）は、上記全熱交換素子（40）が、上記第１流路（46）と上記第２流路（47）とを仕切る仕切板（41）を備え、上記仕切板（41）は、第１主面（42a）および第２主面（42b）を有する多孔質基材（42）と、該多孔質基材（42）における上記第１主面（42a）側に設けられた透湿膜（43）とを有する。ここで、一般的な仕切板の材料として、塩化リチウムや塩化カルシウムなどの吸湿剤を含浸させた紙が使用されるが、その場合、過剰吸湿により滴下を生じてしまうことがある。本実施形態では、仕切板（41）に透湿膜（43）が設けられるので、上記のような不具合を抑止できる。
【００５１】
《実施形態２》
実施形態２について説明する。本実施形態の換気装置（10）は、切替機構として回転機構（50）ではなくダンパ機構（60）を備える点で上記実施形態１と異なる。以下、上記実施形態１と異なる点について主に説明する。
【００５２】
図６に示すように、ケーシング（11）の内部空間には、外気吸込室（21）と、給気室（22）と、内気吸込室（23）と、排気室（24）と、第１給排気流路（18）と、第２給排気流路（19）とが形成される。給気室（22）には、給気ファン（26）が配置される。排気室（24）には、排気ファン（27）が配置される。
【００５３】
外気吸込室（21）および排気室（24）は、ケーシング（11）内の一端側（図６における左端側）に配置される。外気吸込室（21）と排気室（24）とは、第１仕切壁（31）によって互いに仕切られる。内気吸込室（23）および給気室（22）は、ケーシング（11）内の他端側（図６における右端側）に配置される。内気吸込室（23）と給気室（22）とは、第２仕切壁（32）によって互いに仕切られる。外気吸込室（21）および排気室（24）と、第１および第２給排気流路（18,19）とは、第３仕切壁（33）によって互いに仕切られる。内気吸込室（23）および給気室（22）と、第１および第２給排気流路（18,19）とは、第４仕切壁（34）によって互いに仕切られる。
【００５４】
全熱交換素子（40）は、第１給排気流路（18）および第２給排気流路（19）を横断するように配置される。全熱交換素子（40）は、第１流路（46）が第１給排気流路（18）と連通し、かつ第２流路（47）が第２給排気流路（19）と連通するように、ケーシング（11）内に設置される。
【００５５】
換気装置（10）は、複数のダンパ（61〜68）を開閉することで第１状態と第２状態とを切り替えるダンパ機構（60）を備える。ダンパ機構（60）は、第１〜第８ダンパ（61〜68）を有する。ダンパ機構（60）は、切替機構を構成している。
【００５６】
ダンパ機構（60）の第１〜第４ダンパ（61〜64）は、第３仕切壁（33）に設けられる。第１ダンパ（61）は、外気吸込室（21）と第１給排気流路（18）との間に設けられる。換言すると、第１ダンパ（61）は、第２状態（図７または図８）における第１給排気流路（18）の入口に設けられる。第２ダンパ（62）は、外気吸込室（21）と第２給排気流路（19）との間に設けられる。換言すると、第２ダンパ（62）は、第１状態（図７または図８）における第２給排気流路（19）の入口に設けられる。第３ダンパ（63）は、排気室（24）と第１給排気流路（18）との間に設けられる。換言すると、第３ダンパ（63）は、第１状態における第１給排気流路（18）の出口に設けられる。第４ダンパ（64）は、排気室（24）と第２給排気流路（19）との間に設けられる。換言すると、第４ダンパ（64）は、第２状態における第２給排気流路（19）の出口に設けられる。
【００５７】
ダンパ機構（60）の第５〜第８ダンパ（65〜68）は、第４仕切壁（34）に設けられる。第５ダンパ（65）は、内気吸込室（23）と第２給排気流路（19）との間に設けられる。換言すると、第５ダンパ（65）は、第２状態における第２給排気流路（19）の入口に設けられる。第６ダンパ（66）は、内気吸込室（23）と第１給排気流路（18）との間に設けられる。換言すると、第６ダンパ（66）は、第１状態における第１給排気流路（18）の入口に設けられる。第７ダンパ（67）は、給気室（22）と第２給排気流路（19）との間に設けられる。換言すると、第７ダンパ（67）は、第１状態における第２給排気流路（19）の出口に設けられる。第８ダンパ（68）は、給気室（22）と第１給排気流路（18）との間に設けられる。換言すると、第８ダンパ（68）は、第２状態における第１給排気流路（18）の出口に設けられる。
【００５８】
−ダンパ機構の切替動作−
換気装置（10）における、ダンパ機構（60）による第１状態と第２状態との切替動作について説明する。
【００５９】
まず、図７を参照して、例えば夏季などの室外空気が高温多湿である場合の切替動作について説明する。図７では、左に第１状態の換気装置（10）を、右に第２状態の換気装置（10）を、それぞれ示している。図７では、開いているダンパ（61〜68）を白抜きで、閉じているダンパ（61〜68）を黒塗りで、それぞれ示している。
【００６０】
第１状態では、ダンパ機構（60）は、第１ダンパ（61）、第４ダンパ（64）、第５ダンパ（65）、および第８ダンパ（68）を閉じる一方、第２ダンパ（62）、第３ダンパ（63）、第６ダンパ（66）、および第７ダンパ（67）を開く。これにより、第１状態では、第１給排気流路（18）が給気流路（16）を構成し、かつ第２給排気流路（19）が排気流路（17）を構成する。
【００６１】
第２状態では、ダンパ機構（60）は、第１ダンパ（61）、第４ダンパ（64）、第５ダンパ（65）、および第８ダンパ（68）を開く一方、第２ダンパ（62）、第３ダンパ（63）、第６ダンパ（66）、および第７ダンパ（67）を閉じる。これにより、第２状態では、第１給排気流路（18）が排気流路（17）を構成し、かつ第２給排気流路（19）が給気流路（16）を構成する。
【００６２】
室外空気が高温多湿である場合に換気装置（10）が第１状態で運転されていると、主に第１流路（46）の入口部の領域（図７にハッチングで示す領域）で結露水が生じ得る。この領域では、湿度および温度が相対的に高い室外空気が、湿度および温度が相対的に低い室内空気と熱交換して冷却されるためである。
【００６３】
ダンパ機構（60）は、換気装置（10）を第１状態から第２状態に切り替える。これにより、第１状態における第１流路（46）の入口部は、第２状態における第１流路（46）の出口部になる。第２状態における第１流路（46）の出口部を流れる室内空気は、高温多湿の室外空気と熱交換して温度が高くなっている。このため、第２状態における第１流路（46）の出口部の領域では、第１状態での運転中に生じた結露水が効率的に蒸発し得る。また、結露水による湿気が室外へ排出され、室内側の湿度の上昇が抑止される。
【００６４】
その後、ダンパ機構（60）は、換気装置（10）を第２状態から第１状態に切り替える。これにより、第２状態における第２流路（47）の入口部は、第１状態における第２流路（47）の出口部になる。このため、第１流路（46）に関して上述したのと同様に、第２状態での運転中に第２流路（47）の入口部の領域で生じた結露水が、第１状態における第２流路（47）の出口部の領域で効率的に蒸発し得る。
【００６５】
次に、図８を参照して、例えば冬季などの室外空気が低温低湿である場合の切替動作について説明する。図８では、左に第１状態の換気装置（10）を、右に第２状態の換気装置（10）を、それぞれ示している。図８では、開いているダンパ（61〜68）を白抜きで、閉じているダンパ（61〜68）を黒塗りで、それぞれ示している。
【００６６】
室外空気が低温低湿である場合に換気装置（10）が第１状態で運転されていると、主に第２流路（47）の入口部の領域（図８にハッチングで示す領域）で結露水または氷が生じ得る。この領域では、湿度および温度が相対的に高い室内空気が、湿度および温度が相対的に低い室外空気と熱交換して冷却されるためである。
【００６７】
ダンパ機構（60）は、換気装置（10）を第１状態から第２状態に切り替える。これにより、第１状態における第２流路（47）の入口部は、第２状態における第２流路（47）の出口部になる。第２状態における第２流路（47）の出口部を流れる室外空気は、温度が高い室内空気と熱交換して温度が高くなっている。このため、第２状態における第２流路（47）の出口部の領域では、第１状態での運転中に生じた結露水または氷が効率的に蒸発または解凍し得る。また、結露水による湿気が室内へ供給され、室内空気が加湿される。
【００６８】
その後、ダンパ機構（60）は、換気装置（10）を第２状態から第１状態に切り替える。これにより、第２状態における第１流路（46）の入口部は、第１状態における第１流路（46）の出口部になる。このため、第２流路（47）に関して上述したのと同様に、第２状態での運転中に第１流路（46）の入口部の領域で生じた結露水または氷が、第１状態における第１流路（46）の出口部の領域で効率的に蒸発または解凍し得る。
【００６９】
室外空気の状態に関わらず、ダンパ機構（60）による第１状態と第２状態との切替動作は、任意のタイミングで実行されてもよい。例えば、ダンパ機構（60）は、所定の時間間隔をおいて第１状態と第２状態とを切り替えてもよいし、結露水の発生を検知する検知手段（図示せず）の信号に応じて、所定量の結露水が発生したときに第１状態と第２状態とを切り替えてもよい。
【００７０】
−実施形態２の効果−
本実施形態の換気装置（10）によっても、上記実施形態１と同様の効果が得られる。
【００７１】
また、本実施形態の換気装置（10）は、上記全熱交換素子（40）の上記第１流路（46）に連通し、上記第１状態において上記給気流路（16）を構成し、上記第２状態において上記排気流路（17）を構成する第１給排気流路（18）と、上記全熱交換素子（40）の上記第２流路（47）に連通し、上記第２状態において上記排気流路（17）を構成し、上記第２状態において上記給気流路（16）を構成する第２給排気流路（19）とを備え、上記切替機構（50,60）は、上記第１給排気流路（18）および上記第２給排気流路（19）の入口および出口に設けられた複数のダンパ（61〜68）を有し、該ダンパ（61〜68）を開閉することで上記第１状態と上記第２状態とを切り替えるダンパ機構（60）である。したがって、第１状態において、第１給排気流路（18）と全熱交換素子（40）の第１流路（46）とを介して室内空気が室外へ排出されると共に、第２給排気流路（19）と全熱交換素子（40）の第２流路（47）とを介して室外空気が室内へ供給される。一方、第２状態において、第２給排気流路（19）と全熱交換素子（40）の第２流路（47）とを介して室内空気が室外へ排出されると共に、第１給排気流路（18）と全熱交換素子（40）の第１流路（46）とを介して室外空気が室内へ供給される。本実施形態では、第１状態と第２状態とを切り替えるために、シール機能に優れたダンパ（61〜68）を使用する。このため、第１給排気流路（18）と第２給排気流路（19）との間における空気漏れを抑止できる。
【００７２】
《その他の実施形態》
上記実施形態については、以下のような構成としてもよい。
【００７３】
−第１変形例−
例えば、上記切替機構（50,60）は、上記多孔質基材（42）の上記第１主面（42a）が、上記給気流路（16）と上記排気流路（17）のうち流路入口の水蒸気圧が低い方に配置されるように上記第１状態と上記第２状態とを切り替えるものであってもよい。この場合、各実施形態の換気装置（10）において、回転機構（50）またはダンパ機構（60）は、室外空気の相対湿度が室内空気の相対湿度よりも低い場合に、換気装置（10）を第１状態に切り替える一方、室外空気の相対湿度が室内空気の相対湿度よりも高い場合に、換気装置（10）を第２状態に切り替える。
【００７４】
本変形例では、透湿膜（43）が設けられた多孔質基材（42）の第１主面（42a）が、給気流路（16）と排気流路（17）のうち流路入口の水蒸気圧が高い方に配置される場合よりも、透湿移動量を多くすることができる。換言すると、透湿膜（43）を備えた仕切板（41）における透湿移動量を最大限に高め、当該仕切板（41）を有効活用することができる。ここで、本願発明者は、鋭意研究の結果、周囲環境の相対湿度に応じて、多孔質基材（42）の透湿抵抗が透湿膜（43）の透湿抵抗よりも小さくなる場合と、透湿膜（43）の透湿抵抗が多孔質基材（42）の透湿抵抗よりも小さくなる場合との両方が存在し得ることを発見した。さらに、本願発明者は、鋭意研究を重ねた結果、多孔質基材（42）における第１主面（42a）側に透湿膜（43）が設けられている場合に、特に多孔質基材（42）の透湿抵抗が透湿膜（43）の透湿抵抗よりも小さくなる相対湿度条件下で、水蒸気圧が相対的に低い空間に多孔質基材（42）の第１主面（42a）を配置し、かつ水蒸気圧が相対的に高い空間に多孔質基材（42）の第２主面（42b）を配置して仕切板（41）を使用すると、これと逆の配置で同じ仕切板（41）を使用するのに比べて透湿移動量が多くなることを発見した。本変形例は、この発見を応用したものである。
【００７５】
−第２変形例−
例えば、全熱交換素子（40）は、直交流型以外の任意の型、例えば対向流型の全熱交換素子であってもよい。
【００７６】
−第３変形例−
例えば、図９に示すように、多孔質基材（42）の内部に透湿膜（43）が設けられていてもよい。ここで、透湿膜（43）は、多孔質基材（42）における第１主面（42a）側に設けられる。具体的に、透湿膜（43）は、多孔質基材（42）において、第１主面（42a）と第２主面（42b）との中間に位置する中間面（図９に一点鎖線で示す）よりも第１主面（42a）寄りに設けられる。
【００７７】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００７８】
以上説明したように、本開示は、換気装置について有用である。
【符号の説明】
【００７９】
10  換気装置
16  給気流路
17  排気流路
18  第１給排気流路
19  第２給排気流路
40  全熱交換素子
41  仕切板
42  多孔質基材（基材）
42a  第１主面
42b  第２主面
43  透湿膜
46  第１流路
47  第２流路
50  回転機構（切替機構）
60  ダンパ機構（切替機構）
61〜68  第１〜第８ダンパ
【図１】
2020183842.tif 000003
【図２】
2020183842.tif 000004
【図３】
2020183842.tif 000005
【図４】
2020183842.tif 000006
【図５】
2020183842.tif 000007
【図６】
2020183842.tif 000008
【図７】
2020183842.tif 000009
【図８】
2020183842.tif 000010
【図９】
2020183842.tif 000011